(57)【要約】【課題】表示部の取り付けが容易で見やすい。【解決手段】水栓装置の温調ハンドル４は、筒状の操作筐体２０の本体側端部に全周に亘って段部２５を形成し、段部２５に赤色からなる第一表示リング部２６と青色からなる第二表示リング部２７とを略円弧状に対向して装着した。段部２５は全周に亘って形成した底部の外側に壁部を形成した。壁部には所定間隔で逆テーパ状に切欠を形成した。第一表示リング部２６及び第二表示リング部２７はそれぞれ略円弧状の板部２６ａ、２７ａと、その外側に所定間隔で突出形成させた逆テーパ状の凸部２６ｂ、２７ｂを有している。凸部２６ｂ、２７ｂは切欠に嵌合させて、赤色と青色をドット表示させた。【選択図】図５
2019044449.tif 000002
【特許請求の範囲】
【請求項１】
水栓本体に回転可能に設けられていて、表示部を備えた水栓装置のハンドルにおいて、
前記ハンドルの外周面に形成された筐体と、
前記筐体の周方向に沿って形成された複数の穴または切欠と、
前記表示部に設けられていて前記穴または切欠を通して表示する凸部と、
を備えたことを特徴とするハンドル。
【請求項２】
前記表示部は、前記凸部を有する第一色からなる第一表示部材と、前記凸部を有する第二色からなる第二表示部材と、を備えている請求項１に記載されたハンドル。
【請求項３】
前記切欠と前記凸部はそれぞれ逆テーパ状に形成されている請求項１または２に記載されたハンドル。
【請求項４】
前記筐体には前記第一表示部材と第二表示部材を装着する段部が形成されており、前記段部の外側に前記穴または切欠を形成した壁部が設けられている請求項２に記載されたハンドル。
【発明の詳細な説明】
【技術分野】
【０００１】
本発明は、浴室や洗面所等に設置される水栓装置のハンドルに関する。
【背景技術】
【０００２】
従来から、浴室等の壁やカウンターには、吐水するカランとシャワーとの切り替えや、流量調整や温度調整が可能な水栓装置が設置されている。例えば、内部に弁部やその他の水栓機構部を内蔵させた水栓本体と、水栓本体を覆うカバーと、を備えた水栓装置が提案されている。この水栓装置では、水栓本体の一方の端部に切替ハンドルが設置され、他方の端部に温調(温度調節)ハンドルが設置されている。
温調ハンドルは回転操作によって吐水の温度調節を行う。切替ハンドルは回転操作によってカラン側の吐水口からの吐水とシャワーエルボ(シャワーヘッド)からの吐水の切り替えを行うと共に吐水の流量調節を行う。
【０００３】
例えば特許文献１に記載された温調ハンドルでは、ハンドル本体と水栓本体側の蓋部との間に環状の表示リングが装着されている。表示リングは例えば上側部分が高温側を表す赤色に、下側部分は低温側を表す青色に色分けされている。表示リングは１つのリング本体が赤色と青色とで２色成形され、両者の間で温調ハンドルを回すことのできない領域に灰色の塗料を着色している。
しかも、表示リングは断面略Ｌ字状に形成され、蓋部の直角状の凹部の上に略Ｌ字部を載置し、ハンドル本体を略Ｌ字部の上部に載置することで挟み込んで略Ｌ字の頂部を外部から目視可能に表示している。表示リングは全周に亘って表示され、ハンドル本体の外形形状に応じた形状を有している。
【先行技術文献】
【特許文献】
【０００４】
【特許文献１】特開２０１３−１８１３０３号公報
【発明の概要】
【発明が解決しようとする課題】
【０００５】
しかしながら、上述した特許文献１に記載の温調ハンドルは、表示リングの取り付けに際して、蓋部の直角状の凹部の上に略Ｌ字部の表示リングを載置し、反対側からハンドル本体を略Ｌ字部の上部に載置することで取り付けるため、取り付け操作が煩雑で手間がかかるという不具合があった。
【０００６】
本発明は、このような課題に鑑みてなされたものであって、表示部の取り付けが容易で見やすい水栓装置のハンドルを提供することを目的とする。
【課題を解決するための手段】
【０００７】
本発明による水栓装置のハンドルは、水栓本体に回転可能に設けられていて、表示部を備えた水栓装置のハンドルにおいて、ハンドルの外周面に形成された筐体と、筐体の周方向に沿って形成された複数の穴または切欠と、表示部に設けられていて穴または切欠を通して表示する凸部と、を備えたことを特徴とする。
本発明は、ハンドルの筐体に形成された複数の穴または切欠に表示部の凸部を挿入することで、表示部の取り付けが容易で見やすい。
【０００８】
また、表示部は、凸部を有する第一色からなる第一表示部材と、凸部を有する第二色からなる第二表示部材と、を備えていることが好ましい。
第一表示部材の凸部と第二表示部材の凸部をそれぞれ筐体の穴または切欠に嵌合することで、異なる色をドット状に表示できて表示内容の識別が容易である。
【０００９】
また、切欠と凸部はそれぞれ逆テーパをなす形状に形成されていることが好ましい。
逆テーパ形状の切欠に逆テーパ形状の凸部を嵌合させることで、筐体の内側に凸部が脱落することを防止できる。
【００１０】
また、筐体には第一表示部材と第二表示部材を装着する段部が形成されており、段部の外側に穴または切欠を形成した壁部が設けられていてもよい。
筐体の段部に第一表示部材と第二表示部材をそれぞれ装着し、壁部に形成した穴または切欠に凸部を挿入することで表示部を容易に装着できる。
【発明の効果】
【００１１】
本発明に係る水栓装置のハンドルによれば、ハンドルの外周面に筐体の周方向に沿って形成された穴または切欠に凸部を挿入することで凸部を表示できるため、表示部の取り付けが容易である上に表示の内容を容易に識別できる。
【図面の簡単な説明】
【００１２】
【図１】本発明の実施形態による水栓装置を示す要部斜視図である。
【図２】図１に示す水栓装置の側面図である。
【図３】図１に示す水栓装置の要部分解図である。
【図４】第一実施形態による温調ハンドルと本体部を示す要部平面図である。
【図５】第一実施形態による温調ハンドルの端部を示す斜視図である。
【図６】温調ハンドルの分解斜視図である。
【図７】図６に示す温調ハンドルの操作筐体の正面図である。
【図８】（ａ）は温調ハンドルに表示リング部を取り付けた状態の部分拡大図、（ｂ）は同図（ａ）と別部分の部分拡大図である。
【図９】第一表示リング部と第二表示リング部の斜視図である。
【図１０】第二実施形態による温調ハンドルの斜視図である。
【図１１】温調ハンドルの操作筐体と表示リング部の分解斜視図である。
【図１２】（ａ）は第一表示リング部の図、（ｂ）は第二表示リング部の図である。
【図１３】第三実施形態による温調ハンドルの斜視図である。
【図１４】図１３に示す表示リング部の斜視図である。
【図１５】図１４に示す表示リング部の連結部を示す拡大図である。
【図１６】第四実施形態による温調ハンドルの斜視図である。
【図１７】温調ハンドルの操作筐体の正面図である。
【図１８】図１６に示す表示リング部の拡大斜視図である。
【発明を実施するための形態】
【００１３】
以下、本発明の各実施形態による水栓装置の温調ハンドルについて、添付図面を用いて説明する。
図１から図９により第一実施形態による水栓装置１００の温調ハンドル４について説明する。
図１から図３に示す本実施形態による水栓装置１００は、例えば浴室に設置して湯や水を吐水するものである。水栓装置１００は、水栓本体１と、その壁面側に設けた水側クランク脚２及び湯側クランク脚３とを有している。水栓本体１の一方の側部に温調（温度調節）ハンドル４が設置され、他方の側部に切替ハンドル５が設置されている。
【００１４】
水栓本体１と水側クランク脚２及び湯側クランク脚３とはカバー体６によって覆われている。水栓装置１００は、例えば図２に示すように、浴室の壁Ｗに取り付けられるものであるが、これに代えて浴室のカウンターや洗面室等にも設置可能である。
なお、以下の説明において、使用者側（壁Ｗ側と反対側）から水栓装置１００を見て左側と右側を結ぶ方向を左右方向と称する。水栓装置１００における使用者側を前側とし、その反対側（壁Ｗ側）を後側とし、これらを結ぶ方向を前後方向と称する。
【００１５】
図３に示すように、水栓本体１は、本体部１１の後側に水側接続管１２、湯側接続管１３、シャワーエルボ１４を備え、本体部１１の下部にカラン側吐水口１５を備えている。シャワーエルボ１４の先端部には、不図示のシャワーホースが接続可能とされている。本実施形態の水栓本体１では、本体部１１、水側接続管１２、湯側接続管１３、シャワーエルボ１４及びカラン側吐水口１５は、金属の鋳物で構成されている。本体部１１の外面は機械加工及びメッキ処理されておらず、鋳肌がそのまま露出している。
本体部１１には、不図示の温調弁ユニットや切換え弁ユニット等の機構部が内蔵されている。本体部１１の前部は、左右方向を軸線方向とする筒状に湾曲形成されている。本体部１１の左右両端部には、それぞれ左右側方に突出する操作軸部１１ｓが設けられている。カラン側吐水口１５は、本体部１１の前部且つ下部から、下方に突出している。カラン側吐水口１５の下端部に形成された雄ねじにカランキャップ１６が螺合されている。
【００１６】
温調ハンドル４は、本体部１１の左端部から左方に突出している操作軸部１１ｓに連結されている。温調ハンドル４を回転操作することにより、シャワーエルボ１４に接続されたシャワーホースのシャワーヘッド（不図示）及びカラン側吐水口１５から吐出する吐水の温度調節を行うことができる。
切替ハンドル５は、本体部１１の右端部から右方に突出している操作軸部１１ｓに連結されている。切替ハンドル５を回転操作することにより、シャワーエルボ１４に接続されたシャワーホースのシャワーヘッド（不図示）からの吐水とカラン側吐水口１５からの吐水との切替えを行うとともに、シャワーエルボ１４及びカラン側吐水口１５から吐出する吐水の流量調節及び止水を行うことができる。
【００１７】
次に第一実施形態による水栓装置１００の温調ハンドル４について図４〜図９により詳述する。
図４において、温調ハンドル４の外周面をなす略筒状の操作筐体(筐体)２０には周方向に間隔を開けて安全ボタン２１ａと把手部２１ｂが突出して形成されている。温調ハンドル４の回転操作を行う際、把手部２１ｂによって温調ハンドル４の回転操作を容易にしている。図５に示す温調ハンドル４内で操作筐体２０と同軸をなす連結軸部７は本体部１１に設けた操作軸部１１ｓに連結され、温調ハンドル４の回転によって操作軸部１１ｓを中心に一体に回転可能とされている。
【００１８】
操作筐体２０の安全ボタン２１ａの延長上の本体部１１側の端部には、温度表示部２２として例えば４０℃を表示する「４０」が表示されている。本体部１１のカバー体６の温調ハンドル４に対向する端部には、吐水の温度表示をなす指示部２３が印刷や凹凸部等で線状に表示されている。指示部２３は温調ハンドル４を回転させた際に温度表示をする部位である。本体部１１の指示部２３の内側には、温調ハンドル４を操作軸部１１ｓと一体に回転可能な回転範囲を３６０°に満たない所定範囲（例えば３３０°）内に規制するストッパ等のロック機構(図示せず)が設置されている。
【００１９】
図５乃至図８において、温調ハンドル４の筒状の操作筐体２０には、本体部１１に対向する端部の内面に段部２５が全周に亘って形成されている。この段部２５は内側に凹んでおり、内側の底部２５ａと外側の壁部２５ｂとを有している。図５及び図６に示すように、段部２５には、略円弧状の第一表示リング部２６と第二表示リング部２７が対向して装着されて略リング状に配列されている。
図７及び図８に示すように、段部２５は、周方向に形成された壁部２５ｂに所定間隔で切欠２８が形成されている。切欠２８は内周側から外周側に向けて幅が広がるように逆テーパ状に形成されている。段部２５の底部２５ａには周方向に所定の間隔を開けて例えば２つの仕切壁２９ａ、２９ｂが形成されている。仕切壁２９ａ、２９ｂは壁部２５ｂに連結されて形成されている。一方の仕切壁２９ａは例えば切欠２８の近傍に形成され、他方の仕切壁２９ｂは壁部２５ｂの中間に形成されている。
【００２０】
図９は表示部としての第一表示リング部２６及び第二表示リング部２７を示すものである。第一表示リング部２６及び第二表示リング部２７は色で温度表示をするものであり、例えば第一表示リング部２６が高温側の赤色であり、第二表示リング部２７が低温側の青色である。第一表示リング部２６と第二表示リング部２７はそれぞれ単色で成形された樹脂部品であるため、従来の多色で一体成形した表示リングと比較して製造が容易で製造コストが低廉になる。しかも、塗装箇所がないため、経時的に塗装箇所が剥離したり損耗したりすることがない。
図９に示す赤色の第一表示リング部２６は、略円弧状の板部２６ａと板部２６ａの外周面に所定間隔で突出して形成された凸部２６ｂとで形成されている。凸部２６ｂは突出する先端側が拡幅された逆テーパ状に形成されている。第一表示リング部２６は、板部２６ａが段部２５の底部２５ａに載置され、凸部２６ｂが切欠２８に嵌合される。これにより、操作筐体２０の端部外面で赤色の凸部２６ｂをドット状に表示できる。
【００２１】
図９に示す青色の第二表示リング部２７は、第一表示リング部２６と同様に、略円弧状の板部２７ａと板部２７ａの外周面に所定間隔で突出して形成された凸部２７ｂとで形成されている。凸部２７ｂは突出する先端側が拡幅された逆テーパ状に形成されている。第二表示リング部２７は、板部２７ａが段部２５の底部２５ａに載置され、凸部２７ｂが切欠２８に嵌合される。これにより、青色の凸部２７ｂをドット状に表示できる。
第一表示リング部２６と第二表示リング部２７は、図に示す例では第一表示リング部２６の方が第二表示リング部２７より長く形成されている。赤色の第一表示リング部２６の方が第二表示リング部２７より高温側での温度変化領域が広いためであるが、長さは適宜変更できる。
【００２２】
図５に示すように、操作筐体２０において、段部２５の仕切壁２９ａ、２９ｂ間で第一表示リング部２６を装着する角度範囲は、第二表示リング部２７を装着する角度範囲より大きく設定されている。しかも、第一表示リング部２６の一方の端部と第二表示リング部２７の一方の端部とが仕切壁２９ａを挟んで対向配置されている。第二表示リング部２７の一方の端部は凸部２７ｂの近傍であるが、仕切壁２９ａを挟むこれらの両端部は壁部２５ｂによって遮蔽され、外部から目視できない。
同様に、第一表示リング部２６の他方の端部と第二表示リング部２７の他方の端部とが仕切壁２９ｂを挟んで対向配置されている。両端部は壁部２５ｂによって隠されるため、外部から目視できない。そのため、第一表示リング部２６と第二表示リング部２７の寸法誤差や取り付け誤差等があったとしても、壁部２５ｂによって寸法誤差を隠すことができる上に、仕切壁２９ａ、２９ｂによって位置ずれを抑制できる。
【００２３】
温調ハンドル４の操作筐体２０において、第一表示リング部２６及び第二表示リング部２７を装着する段部２５は本体部１１側端部に形成されているため、第一表示リング部２６及び第二表示リング部２７を側方から軸方向に押し込むことで操作筐体２０に取り付けできる。
図８（ａ）に示すように、第一表示リング部２６と第二表示リング部２７は、切欠２８とこれに嵌合する凸部２６ｂ、２７ｂが共に逆テーパ状に形成されているため、温調ハンドル４を操作軸部１１ｓを中心に正逆方向に回転させても第一表示リング部２６と第二表示リング部２７が周方向や厚み方向内側に外れることがない。
【００２４】
第一表示リング部２６と第二表示リング部２７の各設置領域において、図８（ｂ）に示すように、段部２５の少なくとも１つの切欠２８に代えて穴部２８ａを形成してもよい。この場合、凸部２６ｂ、２７ｂの各１つを逆テーパ形状でない略角柱状の突起部２６ｃ、２７ｃに形成して穴部２８ａに嵌合可能に設定する。これによって、第一表示リング部２６と第二表示リング部２７が段部２５から軸方向に離脱することを防止できる。しかも、本体部１１に温調ハンドル４を装着した状態で、操作筐体２０に取り付けた第一表示リング部２６及び第二表示リング部２７と本体部１１との隙間が小さいので第一表示リング部２６と第二表示リング部２７の離脱を阻止できる。
【００２５】
本実施形態による温調ハンドル４は上述した構成を備えているから、本体部１１に対して温調ハンドル４を回転操作することで、操作筐体２０の本体部１１側端部の段部２５に装着された赤色の第一表示リング部２６及び青色の第二表示リング部２７が一体回転する。温調ハンドル４の回転によって、静止保持される本体部１１の指示部２３に対して操作筐体２０の所定間隔に配列された切欠２８から露出する赤色の凸部２６ｂと青色の凸部２７ｂも一体に回転移動する。そのため、指示部２３との位置関係によって、シャワーエルボ１４及びカラン側吐水口１５から吐出する吐水の温度を調整することができる。
【００２６】
上述したように本実施形態による温調ハンドル４を備えた水栓装置１００によれば、第一表示リング部２６と第二表示リング部２７はそれぞれ単色で成形した樹脂部品であるため、従来の多色一体成形部品の表示リングと比較して、製造が容易で製造コストが低廉になる。しかも、塗装箇所がないため、経時的に塗装箇所が剥離したり摩滅したりすることがない。
また、第一表示リング部２６と第二表示リング部２７に製造誤差や取り付け誤差があっても、その継ぎ目(接続部)を段部２５の壁部２５ｂで覆い隠すことができる。更に、第一表示リング部２６と第二表示リング部２７の対向する各端部を仕切壁２９ａ、２９ｂで仕切るため位置ずれを低減できる。
【００２７】
第一表示リング部２６と第二表示リング部２７は単に段部２５に装着したものでなく、段部２５の壁部２５ｂに形成した逆テーパ状の切欠２８に逆テーパ状の凸部２６ｂ、２７ｂを嵌合させたため、温調ハンドル４の回転操作の際に内側に離脱することがない。また、一部の切欠２８を穴にして逆テーパ状でない凸部２６ｃ、２７ｃを挿入することで、第一表示リング部２６と第二表示リング部２７が軸方向に離脱することを阻止できる。
【００２８】
以上、本発明の実施形態による水栓装置１００の温調ハンドル４について詳細に説明したが、本発明は上述の実施形態に限定されることはなく、本発明の要旨を逸脱しない範囲で適宜の変更や置換等が可能である。これらはいずれも本発明に含まれる。以下に、本発明の変形例や他の実施形態等について説明するが、上述の実施形態と同一または同様な部分、部材には同一の符号を用いて説明を省略する。
【００２９】
上述した実施形態では、第一表示リング部２６と第二表示リング部２７の２本の略円弧状の樹脂部品を操作筐体２０の段部２５に取り付けたが、２本に限定されることなく３本以上の単色の樹脂部品を装着してもよい。例えば、灰色の第三表示リング部を第一表示リング部２６及び第二表示リング部２７の間に装着してもよい。その際、各表示リング部の間を仕切壁２９ａ、２９ｂで仕切ってもよく、第一表示リング部２６及び第二表示リング部２７との継ぎ目は段部２５の壁部２５ｂで外側から目視できないように隠すことが好ましい。
【００３０】
次に、本発明の第二実施形態による温調ハンドル４Ａについて、図１０乃至図１２により説明する。
図１０及び図１１に示す温調ハンドル４Ａは、操作筐体２０の本体部１１側端部に形成されたリング状の段部２５の壁部２５ｂを高く設定した。段部２５に装着する赤色の第一表示リング部３２と青色の第二表示リング部３３はそれぞれ円環状に形成された単色樹脂成形品である。第一表示リング部３２と第二表示リング部３３を積層した状態で段部２５に取り付けている。図１１は赤色の第一表示リング部３２と青色の第二表示リング部３３を操作筐体２０の段部２５から分離して示している。
【００３１】
図１２（ａ）は赤色の第一表示リング部３２を示すものであり、円環状の板部３２ａの略半円側部分に所定間隔で逆テーパ状の凸部３２ｂが外側に突出して形成されている。凸部３２ｂは板部３２ａの幅より大きく例えば２倍の長さに設定され、板部３２ａの幅方向に沿って下方に突出している。
図１２（ｂ）は青色の第二表示リング部３３を示すものであり、円環状の板部３３ａの略半円側部分に所定間隔で逆テーパ状の凸部３３ｂが外側に突出して形成されている。凸部３３ｂは板部３３ａの幅より大きく例えば２倍の長さに設定され、板部３２ａの上方に突出している。第二表示リング部３３において、凸部３３ｂを配列した角度範囲は第一表示リング部３２の凸部３２ｂを配列した角度範囲と重ならないように設定した。第二表示リング部３３では、適宜位置（図１２（ｂ）に示す例では、２つの凸部３３ｂの間）で凸部３３ｂとは反対側に突出する係止舌片３３ｃが形成されている。
【００３２】
第一表示リング部３２と第二表示リング部３３の円環状の板部３２ａ、３３ａ同士を積層した際、互いに凸部３２ｂ、３３ｂの内側に嵌合されて係合した状態になる。しかも、第一表示リング部３２と第二表示リング部３３の凸部３２ｂ、３３ｂは周方向に所定間隔で配列され、その長さは積層した第一表示リング部３２と第二表示リング部３３の幅の和の長さに略等しい。
なお、第一表示リング部３２と第二表示リング部３３に互いの嵌合位置を規定する位置決め部を設けて置くことが好ましい。操作筐体２０には段部２５の底部２５ａの内面側に係止舌片３３ｃを係止するための係止溝部３５が形成されている。
【００３３】
従って、温調ハンドル４を組み立てる際、最初に操作筐体２０の端部に設けた段部２５に青色の第二表示リング部３３を対向させて、係止舌片３３ｃを係止溝部３５に挿入する。段部２５の底部２５ａに板部３３ａを着座させて、凸部３３ｂを逆テーパ状の切欠２８に嵌合する。次いで赤色の第一表示リング部３２を段部２５に装着し、第二表示リング部３３に重ねて凸部３３ｂに係合させると共に凸部３２ｂを別の切欠２８に嵌合する。
【００３４】
これにより、図１０に示すように、係止溝部３５と係止舌片３３ｃを挿入ガイドとして、嵌合状態の第一表示リング部３２及び第二表示リング部３３が操作筐体２０の段部２５に重ねて装着され、赤色の凸部３２ｂと青色の凸部３３ｂが切欠２８から操作筐体２０の外周面端部に露出する。
なお、上述の組み立て方法に代えて、先に第一表示リング部３２及び第二表示リング部３３を軸方向に積層させて互いの凸部３３ｂ、３２ｂに嵌め込んでもよい。それぞれの板部３２ａ、３３ａが凸部３２ｂ、３３ｂの内側に係止することで係合されて一体化される。その後、これらの第一表示リング部３２及び第二表示リング部３３を段部２５に装着して各突部３２ｂ、３３ｂを切欠２８に嵌合すればよい。
【００３５】
本第二実施形態による水栓装置１００の温調ハンドル４Ａにおいても、第一実施形態と同様に、赤色の第一表示リング部３２及び青色の第二表示リング部３３は単色の樹脂部品として２部品で製造できるため、各樹脂部品の製造が容易で製造コストを低廉にできる。
また、操作筐体２０の外周面端部に、赤色の凸部３２ｂと青色の凸部３３ｂを所定の間隔を開けて切欠２８から露出してドット状に表示できる。
【００３６】
次に、本発明の第三実施形態による温調ハンドル４Ｂについて、図１３乃至図１５により説明する。
図１３に示す水栓装置１００の温調ハンドル４Ｂは、操作筐体２０の本体部１１側端部に形成されたリング状の段部２５に赤色の第一表示リング部３８と青色の第二表示リング部３９が連結された表示リング部（表示部）４０が装着されている。
【００３７】
図１４及び図１５において、第一表示リング部３８は略円環状に形成されており、円環状の板部３８ａはその一部円弧状部の板厚が比較的厚い板厚部３８ａａとされ、残りの円弧状部は外側の板厚が板状の凹部に切り欠かれて比較的薄い板薄部３８ａｂとされている。本実施形態では、板厚部３８ａａは板薄部３８ａｂより大きい角度範囲に設定されている。板厚部３８ａａの領域では所定間隔で外側に所定厚みの凸部３８ｂが突出形成されている。凸部３８ｂはこの実施形態では逆テーパ状に形成されていないが、逆テーパ状に形成されていてもよい。
板厚部３８ａａにおいて、凸部３８ｂの間にはその幅方向に係止舌片３８ｃが突出して形成されている。なお、係止舌片３８ｃは周方向の適宜位置に形成することができ、板厚部３８ａａでなく板薄部３８ａｂに形成されていてもよい。或いは、板厚部３８ａａと板薄部３８ａｂの両方に係止舌片３８ｃを設けてもよい。
【００３８】
図１４及び図１５において、第二表示リング部３９は、第一表示リング部３８の板薄部３８ａｂの周方向凹部領域に係止された薄板状で円弧状の板部３９ａが形成されている。第二表示リング部３９には板部３９ａの外側に所定間隔で外側に所定厚みの凸部３９ｂが突出して形成されている。凸部３９ｂの大きさと形状は凸部３８ｂと同一とされている。
第二表示リング部３９の板部３９ａは第一表示リング部３８の板薄部３８ａｂに重ねて係合されることで、板厚部３８ａａと同一厚みになる。しかも、円環状の表示リング部４０が形成される。第一表示リング部３８の板薄部３８ａｂと第二表示リング部３９の板部３９ａとは単に係合させることで一体化してもよいし、接着剤などで一体化してもよい。
【００３９】
第一表示リング部３８と第二表示リング部３９を一体化することで、赤色の凸部３８ｂと青色の凸部３９ｂは所定間隔で配列されている。しかも、赤色の第一表示リング部３８と青色の第二表示リング部３９はそれぞれ単色で形成された樹脂成形品である。
なお、操作筐体２０における段部２５に形成された切欠２８Ａは凸部３８ｂ、凸部３９ｂの形状に応じた一定幅に切り欠かれているが、凸部３８ｂ、３９ｂが逆テーパ状であれば切欠２８Ａも逆テーパ状に切り欠かれている。
【００４０】
本実施形態では、温調ハンドル４を組み立てる際、第一表示リング部３８の板薄部３８ａｂに第二表示リング部３９を係合させて一体化させる。一体化した第一表示リング部３８及び第二表示リング部３９を、係止舌片３８ｃを前方に向けて操作筐体２０の段部２５に装着する。第二表示リング部３９の係止舌片３８ｃを操作筐体２０の内面の係止溝部３５に係合するように挿入することで、各凸部３８ｂ、３９ｂが操作筐体２０の段部２５に所定間隔で形成された切欠２８Ａに嵌合させられる。
【００４１】
これにより、図１３に示すように、係止溝部３５と係止舌片３８ｃを挿入ガイドとして、一体化した係合状態の第一表示リング部３８及び第二表示リング部３９が操作筐体２０の段部２５に装着され、赤色の凸部３８ｂと青色の凸部３９ｂが切欠２８Ａから操作筐体２０の外周面端部に露出する。なお、変形例として、上述の構成とは逆に、円環状の青の第二表示リング部３９に板厚部と板薄部を形成して、
板薄部に円弧板状の赤の第一表示リング部３８を係止させて一体化させてもよい。
【００４２】
次に、本発明の第四実施形態による温調ハンドル４Ｃについて、図１６乃至図１８により説明する。
図１６に示す水栓装置１００の温調ハンドル４Ｃは、操作筐体４１の本体部１１側端部に形成されたリング状の段部４２に赤色と青色を表示した段付きの半円部分が連結された表示リング部（表示部）４３が装着されている。
【００４３】
図１７は操作筐体４１を示すものである。
操作筐体４１の段部４２は、略筒状に形成されていて本体部１１側端部に略半円状の円弧に沿って第一段部４５と第二段部４６が対向して形成されている。第一段部４５は上述した段部２５と同一形状であり、内側の底部４５ａとその外側に形成された壁部４５ｂとで形成されている。壁部４５ｂには周方向に所定間隔で切欠４７が形成されている。第二段部４６は第一段部４５とは逆の形状であり、外側の底部４６ａとその内側に形成された壁部４６ｂとで形成されている。壁部４６ｂは連続する略半円状に形成されており、切欠４７は形成されていない。
【００４４】
第一段部４５と第二段部４６の各底部４５ａ、４６ａは第一段部４５と第二段部４６の境界である接続部４２ａ、４２ｂで連続している。一方の接続部４２ａは操作筐体４１の外周面の「４０」温度表示部２２に対向している。そのため、段部４２における底部４５ａ、４６ａは径の異なる半円部同士が連結された形状を有している。
【００４５】
図１８に示す表示リング部４３は段部４２の各底部４５ａ、４６ａに着座する形状を有している。即ち、表示リング部４３は比較的小径の略半円を有する第一表示リング部４８と比較的大径の略半円を有する第二表示リング部４９が接続部で接続された段付き形状を有している。
第一表示リング部４８は略半円状の板部４８ａとその外側に所定間隔で突出して形成された凸部４８ｂとを有している。しかも、板部４８ａには例えば凸部４８ｂ、４８ｂの間から突出する係止舌片４８ｃが形成されている。一方、第二表示リング部４９は略半円状の板部で形成されている。
【００４６】
表示リング部４３は、例えば全体に単色の青色からなる樹脂部品で形成されていて、第一表示リング部４８の凸部４８ｂの少なくとも先端側部分が赤色の樹脂部品で形成されている２色成形品である。或いは、赤色は成形加工に代えて塗装を施してもよい。また、表示リング部４３において、温調ハンドル４Ｃが指示部２３に回転できない領域だけ灰色に塗装されていてもよい。
【００４７】
従って、操作筐体４１の段部４２に表示リング部４３を装着する際、図１６に示すように、第一表示リング部４８の板部４８ａを第一段部４５の壁部４５ｂの内側である底部４５ａに着座させ、凸部４８ｂを切欠４７に嵌合させる。更に、第一表示リング部４８の係止舌片４８ｃを操作筐体４１の内面に形成された係止溝部５１に嵌合させる。そのため、赤色の凸部４８ｂが切欠４７から操作筐体４１の外周面にドット状に露出する。また、第二表示リング部４９は第二段部４６の外側の底部４６ａに着座させ、操作筐体４１の外周面に線状に露出させる。
これにより、温調ハンドル４Ｃの操作筐体４１では、「４０」の温度表示部２２の一方の外周面側に第二表示リング部４９で連続した線状の青色を表示する。「４０」の温度表示部２２の他方の外周面側に第一表示リング部４８の赤色の凸部４８ｂが切欠４７から突出するドット状の赤色を表示する。
【００４８】
本第四実施形態による温調ハンドル４Ｃは、表示リング部４３が上述した各実施形態と相違して、青色と赤色が一体に成形された２色の樹脂部品である。その一方で、温調ハンドル４Ｃでは、低温側を連続する青色の第二表示リング部４９で表示し、高温側を第一表示リング部４８の赤色の凸部４８ｂでドット状に表示するため、目視による見分けが容易であり、しかも意匠性が向上する。
なお、これに代えて、表示リング部４３を赤色の樹脂部品で成形し、凸部４８ｂだけを青色で成形または塗装表示してもよい。この場合には、温調ハンドル４Ｃは、低温側を第一表示リング部４８の青色の凸部４８ｂのドットで表示し、高温側を連続する赤色の第一表示リング部４８で表示できる。
【００４９】
また、第四実施形態の温調ハンドル４Ｃに装着する表示リング部４３について複数の色で樹脂成形したが、この構成に限定されない。例えば、径の異なる第一表示リング部４８と第二表示リング部４９を２部品に分割すると共に、赤や青等の別の色からなる単色樹脂部品としてそれぞれ成形してもよい。
【００５０】
また、上述した各実施形態において、赤や青の樹脂部品だけでなく、灰色の樹脂部品等を含む３部品以上に分けて成形してもよい。上述した各実施形態において、第一表示リング部２６、３２、３８、４８、第二表示リング部２７、３３、３９、４９等の色は赤と青に限定されるものではなく、橙や黄色や黒等、適宜の色を選択して単色で成形できる。
また、第四実施形態や従来技術等に提示した複数の色の樹脂部品を一体成形した表示リング部であっても、本実施形態で示す各温調ハンドル４、４Ａ，４Ｂ，４Ｃ等の段部に装着できることはいうまでもない。
【００５１】
なお、上述した各実施形態では、第一表示リング部２６、３２、３８、４８、第二表示リング部２７、３３、３９、４９に設けた各凸部２６ｂ、２７ｂ、３２ｂ、３３ｂ、３８ｂ、３９ｂ、４８ｂを温調ハンドル４、４Ａ、４Ｂ、４Ｃにおける操作筐体２０、４１の端部に設けた切欠２８、４７に嵌め込んだ。しかし、本発明はこのような構成に限定されるものではなく、切欠２８，４７に代えて貫通孔をなす穴部を形成し、この穴部に表示部の凸部を嵌合させるようにしてもよい。この場合、穴部と凸部は逆テーパ状に形成しなくてもよい。
【００５２】
なお、第一表示リング部２６、３２等と第二表示リング部２７、３３等にそれぞれ係止舌片を設け、操作筐体２０，４１の内面に係止溝部を設ければ、第一表示リング部２６、３２、３８、４８と第二表示リング部２７、３３、３９、４９の周方向の位置決めができる。
第一表示リング部２６、３２、３８、４８と第二表示リング部２７、３３、３９、４９に設けた凸部２６ｂ、２７ｂ、３２ｂ、３３ｂ、３８ｂ、３９ｂ、４８ｂをドット状として表示したが、ドット状部分は適宜その長さを変えて表示してもよく、或いはドットに代えて所定長さの線状に連続して表示してもよい。そのため、第一表示リング部及び第二表示リング部に凸部を設けなくてもよい。
上述した各実施形態や変形例等において、第一表示リング部と第二表示リング部とで温度変化の表示をする温調ハンドル４，４Ａ，４Ｂ，４Ｃについて説明したが、本発明は温度変化の表示に限定されることなく、他の適宜の内容変化等を表示できる。
本発明において、上述した各実施形態に記載した温調ハンドル４，４Ａ，４Ｂ，４Ｃはハンドルに含まれる。第一表示リング部２６、３２、３８、４８は第一表示部材に含まれ、第二表示リング部２７、３３、３９、４９は第二表示部材に含まれる。赤色等は第一色、青色等は第二色に含まれ、第一色と第二色は互いに異なる色であればよい。
また、ハンドルの筐体を通して表示する色は複数の色である必要はなく、一色だけでもよい。この場合でも、表示を例えばドット状部分と線状部分とすることでその表示内容を識別可能である。
【符号の説明】
【００５３】
１  水栓本体
４、４Ａ、４Ｂ、４Ｃ  温調ハンドル
５  切替ハンドル
１５  カラン側吐水口
１０  段部
２０  操作筐体
２２  温度表示部
２３  指示部
２５、４２  段部
２５ａ，４５ａ、４６ａ  底部
２５ｂ、４５ｂ、４６ｂ  壁部
２６、３２、３８、４８  第一表示リング部
２６ａ，２７ａ、３２ａ、３３ａ、３８ａ、３９ａ，４８ａ  板部
２６ｂ、２７ｂ、３２ｂ、３３ｂ、３８ｂ、３９ｂ、４８ｂ  凸部
２７、３３、３９、４９  第二表示リング部
２８、４７  切欠
２８Ａ  穴部
３３ｃ，３８ｃ、４８ｃ  係止舌片
３８ａａ  板厚部
３８ａｂ  板薄部
４３  表示リング部
１００  水栓装置
【図１】
2019044449.tif 000003
【図２】
2019044449.tif 000004
【図３】
2019044449.tif 000005
【図４】
2019044449.tif 000006
【図５】
2019044449.tif 000007
【図６】
2019044449.tif 000008
【図７】
2019044449.tif 000009
【図８】
2019044449.tif 000010
【図９】
2019044449.tif 000011
【図１０】
2019044449.tif 000012
【図１１】
2019044449.tif 000013
【図１２】
2019044449.tif 000014
【図１３】
2019044449.tif 000015
【図１４】
2019044449.tif 000016
【図１５】
2019044449.tif 000017
【図１６】
2019044449.tif 000018
【図１７】
2019044449.tif 000019
【図１８】
2019044449.tif 000020